【事件の表示】
　特願２０１３−１５４００１号「遊技機」拒絶査定不服審判事件〔平成２７年２月５日出願公開、特開２０１５−２３９２３号〕について、次のとおり審決する。
【結　論】
　本件審判の請求は、成り立たない。
【理　由】
第１　手続の経緯 
　本願は、平成２５年７月２４日の出願であって、平成２９年４月２１日付けで拒絶の理由が通知され、同年６月１４日に意見書及び手続補正書が提出され、同年７月１３日付けで最後の拒絶の理由が通知され、同年８月２９日に意見書及び手続補正書が提出されたところ、同年９月２７日付けで、同年８月２９日付け手続補正が却下されるとともに拒絶査定がなされ、それに対して、同年１１月１６日に拒絶査定不服審判の請求がなされると同時に手続補正（以下「本件補正」という。）がなされたものである。
第２　本件補正についての補正の却下の決定 
［補正の却下の決定の結論］ 
　本件補正を却下する。 
［理由］ 
１　本件補正について（補正の内容） 
　本件補正は特許請求の範囲の請求項１の記載の補正を含むものであり、本件補正前の平成２９年６月１４日にされた手続補正の特許請求の範囲の請求項１の記載と本件補正後の特許請求の範囲の請求項１の記載は、それぞれ以下のとおりである（下線部は補正箇所を示す。また、Ａ〜Ｈについては発明を分説するため当審で付与した。）。 
（本件補正前） 
「【請求項１】 
Ａ　遊技を行うことが可能な遊技機であって、
Ｂ　演出表示が可能であるとともに、その後方の領域を前方から視認可能な透過性を有する演出表示手段と、
Ｃ　前記演出表示手段の後方に設けられ、前記演出表示手段へ表示用の光を供給可能な発光手段と、
Ｄ　前記発光手段の前方に設けられ、後方の領域が視認可能となる状態と後方の領域が視認不可能または視認困難となる状態とに切替可能な前方切替手段と、
Ｅ　前記演出表示手段の前方に設けられる前方演出物と、
Ｆ　前記発光手段の後方に設けられる後方演出物と、
Ｇ　前記発光手段と前記後方演出物との間に設けられ、後方の領域が視認可能となる状態と後方の領域が視認不可能または視認困難となる状態とに切替可能な後方切替手段と、
Ｈ　前記前方切替手段及び前記後方切替手段を後方の領域が視認可能となる状態とするときに、前記後方演出物と前記前方演出物と前記演出表示手段とによる特別演出を実行する特別演出実行手段と、
　を備え、
Ｉ　前記後方切替手段は、電圧の印加により後方の領域が視認可能となる状態と後方の領域が視認不可能または視認困難となる状態とに切替可能である
　ことを特徴とする遊技機。」 
（本件補正後）  
「【請求項１】 
Ａ　遊技を行うことが可能な遊技機であって、
Ｂ　演出表示が可能であるとともに、その後方の領域を前方から視認可能な透過性を有する演出表示手段と、
Ｃ　前記演出表示手段の後方に設けられ、前記演出表示手段へ表示用の光を供給可能な発光手段と、
Ｄ　前記発光手段の前方に設けられ、後方の領域が視認可能となる状態と後方の領域が視認不可能または視認困難となる状態とに切替可能な前方切替手段と、
Ｅ　前記演出表示手段の前方に
動作可能に
Ｆ　前記発光手段の後方に設けられる後方演出物と、
Ｇ　前記発光手段と前記後方演出物との間に設けられ、後方の領域が視認可能となる状態と後方の領域が視認不可能または視認困難となる状態とに切替可能な後方切替手段と、
Ｈ　
前記前方演出物の動作に応じて、
前記演出表示手段を通して
にある前記後方演出物
とともに、前記前方演出物が前記演出表示手段の前方で動作したときにも、前記演出表示手段の演出表示を視認可能に
　を備え、
Ｉ　前記後方切替手段は、電圧の印加により後方の領域が視認可能となる状態と後方の領域が視認不可能または視認困難となる状態とに切替可能である
　ことを特徴とする遊技機。」 
２　補正の適否　　 
　本件補正は、補正前の請求項１に記載された発明特定事項である「Ｅ　前記演出表示手段の前方に設けられる前方演出物」について、「動作可能に」設けられることを限定し、また、補正前の請求項１に記載された発明特定事項である「Ｈ　前記前方切替手段及び前記後方切替手段を後方の領域が視認可能となる状態とする」ことについて、「前記前方演出物の動作に応じて」行うこと、及び「前記演出表示手段を通して」後方の領域「にある前記後方演出物」が視認可能となる状態とすることを限定し、さらに、Ｈの「前記後方演出物と前記前方演出物と前記演出表示手段とによる特別演出を実行する」ことについて、「前記前方演出物が前記演出表示手段の前方で動作したときにも、前記演出表示手段の演出表示を視認可能に」実行することを限定したものである。
　そして、補正前の請求項１に記載された発明と補正後の請求項１に記載された発明とは、産業上の利用分野及び解決しようとする課題が同一である。
　そうすると、本件補正は、特許法第１７条の２第５項第２号に規定する「特許請求の範囲の減縮」を目的とするものに該当する。
　また、本件補正は、本願の願書に最初に添付した明細書の段落【０２４５】、【０２５２】、【０２５７】及び【０２５８】の記載並びに【図２１】に基づいており、新規事項を追加するものではない。
　そこで、本件補正後の請求項１に記載された発明（以下「本願補正発明」という。）が特許法第１７条の２第６項において準用する同法第１２６条第７項の規定に適合するか（特許出願の際独立して特許を受けることができるものであるか）について、以下、検討する。 
（１）本願補正発明 
　本願補正発明は、前記１（本件補正後）に記載したとおりのものである。
（２）引用文献に記載された事項 
ア　原査定の拒絶の理由で周知技術を示す文献として引用された本願の出願前に頒布された刊行物である特開２００８−２００３０５号公報（以下「引用文献１」という。）には、図面と共に次の事項が記載されている（下線は当審で付した。）。 
「【００２３】
　まず、図１を用いて、本発明の実施例１に係る
パチンコ機１００
「【０２０６】
　図２７〜図３０は、画像表示ユニット６２０の構造を示す概略図である。図２７に示すように、
画像表示ユニット６２０
画像表示部６２４、およびハーフミラー部６２６からなる
「【０２１０】
　次に、画像表示ユニット６２０による画像の表示方法を、図３１（ａ）および（ｂ）を用いて説明する。まず、
画像表示部６２４が第１の位置
にある場合、画像表示ユニット６２０は、画像表示部６２４の表示
２次元画像
をそのまま遊技者に視認させ
この場合、ハーフミラー部６２６は、画像表示部６２４により遮蔽されているため、遊技者は視認することができない
一方、画像表示部６２４が第２の位置
にある場合
画像表示ユニット６２０
画像表示部６２４から下方のハーフミラー６２６ｂに向けて投影され、ハーフミラー６２６ｂにより前方に向けて反射された画像を、遊技者に
ハーフミラー６２６ｂの背後の位置Ｂに浮かぶ虚像として視認
さらに
虚像の位置Ｂより後方に立体人形６３４を配置することで
虚像の後方に立体人形６３４が重ねて存在するというような奥行き感のある３次元画像を遊技者に視認させ
これにより、例えば、画像表示部６２４に雪が降る画像を表示すれば
立体人形６３４の前方に雪が降っているような３次元画像を、遊技者は視認
この画像表示ユニット６２０の前方には立体的な可動物である
シャッタ２５０が配設されている
第１の位置の画像表示部６２４が２次元画像を表示しているときにシャッタ２５０を閉じ、画像表示部６２４を第２位置に移動させた後にシャッタ２５０を開くことで、それまで画像表示部６２４が表示していた２次元画像が、シャッタ２５０が一旦閉じて再度開いたときには３次元画像に変化している
演出を行うことが可能である
「【０２１２】
　以上説明したように、本実施例に係るパチンコ機は、画像表示ユニット６２０と、待機位置と動作位置の間を動作する可動体（本実施例では、可動人形）２１０と、を備え、画像表示ユニット６２０は、画像を表示する画像表示手段（本実施例では、
画像表示部
６２４
自身が画像表示ユニット６２０の表示面となる第１の位置と、自身がハーフミラー６２６ｂに画像を投影し、かつ、ハーフミラー６２６ｂが画像表示ユニット６２０の表示面となる第２の位置と、の間を移動し
２次元画像とハーフミラー６２６ｂによる３次元画像を選択的に遊技者に視認させる
「【０２３３】
　また、
遊技球を遊技領域１０４に打ち出して遊技するパチンコ機
　上記記載事項を総合すれば、引用文献１には以下の発明（以下、「引用発明１」という。）が記載されているものと認められる（ａ〜ｈについては本願補正発明のＡ〜Ｈに対応させて付与した。）。
「ａ　遊技球を遊技領域１０４に打ち出して遊技するパチンコ機１００であって（【００２３】、【０２３３】）、
ｂ　画像表示部６２４とハーフミラー部６２６からなり、画像表示部６２４が第１の位置にある場合、画像表示部６２４の表示である２次元画像をそのまま遊技者に視認させ、この場合、ハーフミラー部６２６は、画像表示部６２４により遮蔽されているため、遊技者が視認することができず、一方、画像表示部６２４が第２の位置にある場合、画像表示部６２４から下方のハーフミラー６２６ｂに向けて投影され、ハーフミラー６２６ｂにより前方に向けて反射された画像を、遊技者にハーフミラー６２６ｂの背後の位置Ｂに浮かぶ虚像として視認させ、さらに、虚像の位置Ｂより後方に立体人形６３４を配置することで、虚像の後方に立体人形６３４が重ねて存在するというような奥行き感のある３次元画像を遊技者に視認させ、これにより、例えば、画像表示部６２４に雪が降る画像を表示すれば、立体人形６３４の前方に雪が降っているような３次元画像を遊技者に視認させる表示手段と（【０２０６】、【０２１０】）、
ｄ　自身がハーフミラー６２６ｂに画像を投影し、かつ、ハーフミラー６２６ｂが前記表示手段の表示面となる第２の位置と、自身が前記表示手段の表示面となり、２次元画像をそのまま遊技者に視認させ、ハーフミラー部６２６を遮蔽して、遊技者に視認させない第１の位置と、の間を移動し、ハーフミラー６２６ｂによる３次元画像と２次元画像を選択的に遊技者に視認させる画像表示部６２４と（【０２０６】、【０２１０】、【０２１２】）、
ｅ　前記表示手段の前方に配設される立体的な可動物であるシャッタ２５０と（【０２１０】）、
　を備え、
ｈ　第１の位置の画像表示部６２４が２次元画像を表示しているときにシャッタ２５０を閉じ、画像表示部６２４を第２位置に移動させた後にシャッタ２５０を開くことで、それまで画像表示部６２４が表示していた２次元画像が、シャッタ２５０が一旦閉じて再度開いたときには３次元画像に変化している演出を行うことが可能である（【０２１０】）
　パチンコ機１００。」
イ　原査定の拒絶の理由で引用された本願の出願前に頒布された刊行物である特開２０１０−２６２２３４号公報（以下「引用文献２」という。）には、図面と共に次の事項が記載されている（下線は当審で付した。）。 
「【０００２】
　液晶表示装置は、表示部を備えた液晶表示パネルと、表示部を照明する照明手段と、を備えている。例えば
遊技機
液晶表示装置
「【００１４】
　
液晶表示パネル１０は、画像が表示される略矩形状の表示部１１を有している
「【００１８】
　光源装置は、第１光源装置２０と第１光源装置２０の背面側に配置された第２光源装置３０とを備えている。第１光源装置２０と第２光源装置３０とは、図示しない駆動手段により、それぞれ独立に駆動制御される。第１光源装置２０は、
液晶表示パネル１０の背面側に配置され
２つの光源Ｌ１、Ｌ２
から出射された光を液晶表示パネル１０側に導く第１導光体２６
「【００３１】
　
第１ＰＮＬＣフィルム２４と第２ＰＮＬＣフィルム３４との両方に駆動電圧を供給すると
両方が透明状態となる
【００３２】
　このとき、
第２光源装置３０の背面側に配置された構造物１００は、第１導光体２６、第１ＰＮＬＣフィルム２４、第２導光体３２、および第２ＰＮＬＣフィルム３４を介して、液晶表示パネル１０側から視認可能となる
【００３３】
　
第１ＰＮＬＣフィルム２４および第２ＰＮＬＣフィルム３４に駆動電圧を供給せずに白濁状態とすると
【００３４】
　このとき、
液晶表示パネル１０側から構造物１００を視認不可能となり
表示部１１全体に画像を表示させる
「【００４６】
　なお、この発明は、上記実施形態そのままに限定されるものではなく、実施段階ではその要旨を逸脱しない範囲で構成要素を変形して具体化できる。例えば、上述の第１および第２実施形態に係る液晶表示装置では、
表示部１１の中央部分において背面側の構造物１００を視認可能
　【図２】から、
第１導光体２６の前方及び後方に、それぞれ第１ＰＮＬＣフィルム及び第２ＰＮＬＣフィルムが配置されている
　【図４】から、
構造物１００を表示部１１の中央部分から視認可能とするとき、表示部１１の中央部分から視認可能な前記構造物１００とその周りの表示部１１に表示される画像により
表示部１１全体に画像を表示させるものとは異なる特別な演出を実行する
　上記記載事項を総合すれば、引用文献２には以下の発明（以下「引用発明２」という。）が記載されているものと認められる（ａ〜ｈについては本願補正発明のＡ〜Ｈに対応させて付与した。）。
「ａ　遊技機であって（【０００２】）、
ｂ　画像が表示される略矩形状の表示部１１を有し、第２光源装置３０の背面側に配置された構造物１００を、第１導光体２６、第１ＰＮＬＣフィルム２４、第２導光体３２、および第２ＰＮＬＣフィルム３４を介して、表示部１１の中央部分から視認可能とする液晶表示パネル１０と（【００３２】、【００４６】）、
ｃ　前記液晶表示パネル１０の背面側に配置され、２つの光源Ｌ１、Ｌ２から出射された光を前記液晶表示パネル１０側に導く第１導光体２６と（【００１８】）、
ｄ　前記液晶表示パネル１０の背面側で前記第１導光体２６の前方及び後方にそれぞれ配置される第１ＰＮＬＣフィルム２４と第２ＰＮＬＣフィルム３４であって、両方に駆動電圧を供給すると両方が透明状態となり、背面側に配置された構造物１００を前記液晶表示パネル１０の表示部１１の中央部分から視認可能とし、両方に駆動電圧を供給せずに白濁状態とすると前記液晶表示パネル１０側から構造物１００を視認不可能として表示部１１全体に画像が表示させる第１ＰＮＬＣフィルムと第２ＰＮＬＣフィルムと（【００３１】、【００３２】、【００３３】、【００３４】、【００４６】、【図２】）、
　からなる液晶表示装置を備え（【０００２】）、
ｈ　前記第１ＰＮＬＣフィルム２４と第２ＰＮＬＣフィルム３４との両方に駆動電圧を供給して、両方を透明状態とし、構造物１００を液晶表示パネル１０の表示部１１の中央部分から視認可能とするとき、前記演出表示パネル１０の表示部１１の中央部分から視認可能な前記構造物１００とその周りの表示部１１に画像を表示する前記演出表示パネル１０とによる、表示部１１全体に画像を表示させるものとは異なる特別な演出を実行し（【００３１】、【００３２】、【００４６】、【図３】、【図４】）、
　遊技機。」
（３）対比・判断 
ア　対比
　本願補正発明と引用発明１とを対比する。なお、見出し（ａ）〜（ｉ）は、本願補正発明のＡ〜Ｉに対応させている。
 
（ａ）引用発明１の「ａ　遊技球を遊技領域１０４に打ち出して遊技するパチンコ機１００」は、遊技を行うことが可能といえるから、本願補正発明の「Ａ　遊技を行うことが可能な遊技機」に相当する。
（ｂ）引用発明１の「ｂ　画像表示部６２４とハーフミラー部６２６からなり、画像表示部６２４が第１の位置にある場合、画像表示部６２４の表示である２次元画像をそのまま遊技者に視認させ、この場合、ハーフミラー部６２６は、画像表示部６２４により遮蔽されているため、遊技者が視認することができず、一方、画像表示部６２４が第２の位置にある場合、画像表示部６２４から下方のハーフミラー６２６ｂに向けて投影され、ハーフミラー６２６ｂにより前方に向けて反射された画像を、遊技者にハーフミラー６２６ｂの背後の位置Ｂに浮かぶ虚像として視認させ、さらに、虚像の位置Ｂより後方に立体人形６３４を配置することで、虚像の後方に立体人形６３４が重ねて存在するというような奥行き感のある３次元画像を遊技者に視認させ、これにより、例えば、画像表示部６２４に雪が降る画像を表示すれば、立体人形６３４の前方に雪が降っているような３次元画像を遊技者に視認させる表示手段」は、「立体人形６３４の前方に雪が降っているような」演出表示が可能といえ、また、「画像表示部６２４とハーフミラー部６２６からな」る「表示手段」の後方の立体人形６３４を前方から視認可能な透過性を有する表示手段といえるから、本願補正発明の「Ｂ　演出表示が可能であるとともに、その後方の領域を前方から視認可能な透過性を有する演出表示手段」に相当する。
（ｄ、ｇ）引用発明１の「ｄ　自身がハーフミラー６２６ｂに画像を投影し、かつ、ハーフミラー６２６ｂが前記表示手段の表示面となる第２の位置と、自身が前記表示手段の表示面となり、２次元画像をそのまま遊技者に視認させ、ハーフミラー部６２６を遮蔽して、遊技者に視認させない第１の位置と、の間を移動し、ハーフミラー６２６ｂによる３次元画像と２次元画像を選択的に遊技者に視認させる画像表示部６２４」は、「ｂ　画像表示部６２４が第２の位置にある場合」「ハーフミラー６２６ｂの背後の位置Ｂに浮かぶ」「虚像の後方に立体人形６３４が重ねて存在するというような奥行き感のある３次元画像を遊技者に視認させ」るものであるから、本願補正発明の「Ｄ　前記発光手段の前方に設けられ、後方の領域が視認可能となる状態と後方の領域が視認不可能または視認困難となる状態とに切替可能な前方切替手段」及び「Ｇ　前記発光手段と前記後方演出物との間に設けられ、後方の領域が視認可能となる状態と後方の領域が視認不可能または視認困難となる状態とに切替可能な後方切替手段」とは、「Ｄ’Ｇ’後方の領域が視認可能となる状態と後方の領域が視認不可能または視認困難となる状態とに切替可能な切替手段」の点で共通する。
（ｅ）引用発明１の「ｅ　前記表示手段の前方に配設される立体的な可動物であるシャッタ２５０」は、本願補正発明の「Ｅ　前記演出表示手段の前方に動作可能に設けられる前方演出物」に相当する。
（ｆ）引用発明１において、ｂの「画像表示部６２４」が「第１の位置にある場合」、「ハーフミラー部６２６は、画像表示部６２４により遮蔽されているため、遊技者が視認することができ」ないから、「ハーフミラー６２６ｂの背後の位置Ｂに浮かぶ」「虚像の」「後方に」「配置」される「立体人形６３４」は、切替手段たる「画像表示部６２４」の後方に設けられるものといえ、また、ｂの「画像表示部６２４」が「第２の位置にある場合、画像表示部６２４から下方のハーフミラー６２６ｂに向けて投影され」るのであるから、画像表示部６２４はハーフミラー６２６ｂの上方にあり、「ハーフミラー６２６ｂの背後の位置Ｂに浮かぶ」「虚像の」「後方に」「配置」される「立体人形６３４」は、切替手段たる「画像表示部６２４」の後方に設けられるものといえるから、これら引用発明１の構成と、本願補正発明の「Ｆ　前記発光手段の後方に設けられる後方演出物」とは、「Ｆ’切替手段の後方に設けられる後方演出物」の点で共通する。
（ｈ）引用発明１の「ｈ　第１の位置の画像表示部６２４が２次元画像を表示しているときにシャッタ２５０を閉じ、画像表示部６２４を第２位置に移動させた後にシャッタ２５０を開くことで、それまで画像表示部６２４が表示していた２次元画像が、シャッタ２５０が一旦閉じて再度開いたときには３次元画像に変化している演出を行うことが可能であ」ることは、シャッタ２５０の一旦閉じて再度開く動作に応じて、ｂの「ハーフミラー６２６ｂの背後の位置Ｂに浮かぶ」「虚像の後方に」「配置した」「立体人形６３４が重ねて存在するというような奥行き感のある３次元画像を遊技者に視認させ」る状態とするとともに、シャッタ２５０が「ｅ　前記表示手段の前方」で再度開く動作をしたときにもその開く途中の段階で、ｂの「ハーフミラー６２６ｂの背後の位置Ｂに浮かぶ」「虚像の後方に」「配置した」「立体人形６３４が重ねて存在するというような奥行き感のある３次元画像」の一部「を遊技者に視認させ」る状態とするものといえ、また、３次元画像は２次元画像に比べて特別な演出といえ、さらに、その演出のための実行手段を備えることは明らかであるから、これら引用発明１の構成と、本願補正発明の「Ｈ　前記前方演出物の動作に応じて、前記前方切替手段及び前記後方切替手段を前記演出表示手段を通して後方の領域にある前記後方演出物が視認可能となる状態とするとともに、前記前方演出物が前記演出表示手段の前方で動作したときにも、前記演出表示手段の演出表示を視認可能に前記後方演出物と前記前方演出物と前記演出表示手段とによる特別演出を実行する特別演出実行手段」とは、（ｄ、ｇ）の検討を踏まえれば、「Ｈ’前記前方演出物の動作に応じて、」「切替手段を前記演出表示手段を通して後方の領域にある前記後方演出物が視認可能となる状態とするとともに、前記前方演出物が前記演出表示手段の前方で動作したときにも、前記演出表示手段の演出表示を視認可能に前記後方演出物と前記前方演出物と前記演出表示手段とによる特別演出を実行する特別演出実行手段」の点で共通する。
　そうすると、両者は、 
「Ａ　遊技を行うことが可能な遊技機であって、
Ｂ　演出表示が可能であるとともに、その後方の領域を前方から視認可能な透過性を有する演出表示手段と、
Ｄ’、Ｇ’後方の領域が視認可能となる状態と後方の領域が視認不可能または視認困難となる状態とに切替可能な切替手段と、
Ｅ　前記演出表示手段の前方に動作可能に設けられる前方演出物と、
Ｆ’切替手段の後方に設けられる後方演出物と、
Ｈ’前記前方演出物の動作に応じて、切替手段を前記演出表示手段を通して後方の領域にある前記後方演出物が視認可能となる状態とするとともに、前記前方演出物が前記演出表示手段の前方で動作したときにも、前記演出表示手段の演出表示を視認可能に前記後方演出物と前記前方演出物と前記演出表示手段とによる特別演出を実行する特別演出実行手段と、
　を備えた
　遊技機。」 
である点で一致し、以下の点で相違する。
（相違点１）
　本願補正発明は「Ｃ　前記演出表示手段の後方に設けられ、前記演出表示手段へ表示用の光を供給可能な発光手段」を備えるのに対し、引用発明１はそのようなものか否か不明な点。
（相違点２）
　Ｄ’、Ｇ’、Ｆ’及びＨ’の「切替手段」が、本願補正発明は「Ｄ　前記発光手段の前方」及び「Ｇ　前記発行手段と前記後方演出物との間」に設けられる「前方切替手段」及び「後方切替手段」であるのに対し、引用発明１はそのようなものでない点。
（相違点３）
　本願補正発明は「Ｉ　前記後方切替手段は、電圧の印加により後方の領域が視認可能となる状態と後方の領域が視認不可能または視認困難となる状態とに切替可能である」のに対し、引用発明１はそのようなものでない点。
イ　判断
　以下、上記相違点について検討するが、事案に鑑み、相違点１乃至３をまとめて検討する。
　本願補正発明と引用発明２とを対比する。なお、見出し（ａ）〜（ｉ）は、本願補正発明のＡ〜Ｉに対応させている。
 
（ａ）引用発明２の「ａ　遊技機」は、遊技を行うことが可能であることは明らかであるから、本願補正発明の「Ａ　遊技を行うことが可能な遊技機」に相当する。
（ｂ）引用発明２の「ｂ　画像が表示される略矩形状の表示部１１を有し、第２光源装置３０の背面側に配置された構造物１００を、第１導光体２６、第１ＰＮＬＣフィルム２４、第２導光体３２、および第２ＰＮＬＣフィルム３４を介して、表示部１１の中央部分において視認可能とする液晶表示パネル１０」は、演出表示が可能であることは明らかであるから、本願補正発明の「Ｂ　演出表示が可能であるとともに、その後方の領域を前方から視認可能な透過性を有する演出表示手段」に相当する。
（ｃ）引用発明２の「ｃ　前記液晶表示パネル１０の背面側に配置され、２つの光源Ｌ１、Ｌ２から出射された光を前記液晶表示パネル１０側に導く第１導光体２６」は、本願補正発明の「Ｃ　前記演出表示手段の後方に設けられ、前記演出表示手段へ表示用の光を供給可能な発光手段」に相当する。
（ｄ、ｇ）引用発明２の「ｄ　前記液晶表示パネル１０の背面側で前記第１導光体２６の前方及び後方にそれぞれ配置される第１ＰＮＬＣフィルム２４と第２ＰＮＬＣフィルム３４であって、両方に駆動電圧を供給すると両方が透明状態となり、背面側に配置された構造物１００を前記液晶表示パネル１０側から視認可能とし、両方に駆動電圧を供給せずに白濁状態とすると前記液晶表示パネル１０側から構造物１００を視認不可能として表示部１１全体に画像が表示される第１ＰＮＬＣフィルムと第２ＰＮＬＣフィルム」は、本願補正発明の「Ｄ　前記発光手段の前方に設けられ、後方の領域が視認可能となる状態と後方の領域が視認不可能または視認困難となる状態とに切替可能な前方切替手段」と「Ｇ　前記発光手段と前記後方演出物との間に設けられ、後方の領域が視認可能となる状態と後方の領域が視認不可能または視認困難となる状態とに切替可能な後方切替手段」に相当する。
（ｆ）引用発明２のｂの「第１導光体２６」「を介して、視認可能」な「構造物１００」は、「第１導光体２６」の後方に設けられるといえ、また、遊技における演出物といえるから、本願補正発明の「Ｆ　前記発光手段の後方に設けられる後方演出物」に相当する。
（ｈ）引用発明２は「ｈ　前記第１ＰＮＬＣフィルム２４と第２ＰＮＬＣフィルム３４との両方に駆動電圧を供給して、両方を透明状態とし、構造物１００を液晶表示パネル１０の表示部１１の中央部分から視認可能とするとき、前記演出表示パネル１０の表示部１１の中央部分から視認可能な前記構造物１００とその周りの表示部１１に画像を表示する前記演出表示パネル１０とによる、表示部１１全体に画像を表示させるものとは異なる特別な演出を実行する」のであり、そのための実行手段を有することは明らかである。そして、引用発明２のこのような特別な演出を実行する実行手段と、本願補正発明の「Ｈ　前記前方演出物の動作に応じて、前記前方切替手段及び前記後方切替手段を前記演出表示手段を通して後方の領域にある前記後方演出物が視認可能となる状態とするとともに、前記前方演出物が前記演出表示手段の前方で動作したときにも、前記演出表示手段の演出表示を視認可能に前記後方演出物と前記前方演出物と前記演出表示手段とによる特別演出を実行する特別演出実行手段」とは、「Ｈ’’前記前方切替手段及び前記後方切替手段を前記演出表示手段を通して後方の領域にある前記後方演出物が視認可能となる状態とするときに、前記後方演出物と前記演出表示手段とによる特別演出を実行する特別演出実行手段」の点で共通する。
（ｉ）引用発明２のｄの「第２ＰＮＬＣフィルム３４」が「駆動電圧を供給すると」「透明状態となり、背面側に配置された構造物１００を前記液晶表示パネル１０の表示部１１の中央部分から視認可能とし、」「駆動電圧を供給せずに白濁状態とすると前記液晶表示パネル１０側から構造物１００を視認不可能と」することは、本願補正発明の「Ｉ　前記後方切替手段は、電圧の印加により後方の領域が視認可能となる状態と後方の領域が視認不可能または視認困難となる状態とに切替可能である」ことに相当する。
　よって、引用発明２は、相違点１乃至３に係る本願補正発明のＣ、Ｄ、Ｇ、Ｆ及びＩの構成を備える。
　そうすると、引用発明１と引用発明２とは、画像表示装置の後方の構造物を視認可能な３次元画像としたり、視認不可能な２次元画像としたりできる遊技機に関する発明である点で共通するから、引用発明１の画像表示部６２４とハーフミラー６２６ｂからなる表示手段を、その第１の位置と第２の位置との間の移動のための機械的手段やスペースを削減するために、引用発明２の液晶表示パネル１０、第１導光体２６、第１ＰＮＬＣフィルム２４、第２導光体３２、および第２ＰＮＬＣフィルム３４からなる液晶表示装置に変更して、本願補正発明の構成Ｃ、Ｄ、Ｇ、Ｆ及びＩの構成とすることに格別の困難性はない。
　また、Ｈ’’の「前方切替手段」及び「後方切替手段」の構成に関して、引用発明１の画像表示部６２４とハーフミラー６２６ｂからなる表示手段を引用発明２の液晶表示パネル１０、第１導光体２６、第１ＰＮＬＣフィルム２４、第２導光体３２、および第２ＰＮＬＣフィルム３４からなる液晶表示装置に変更したときも、引用発明１のｇの「２次元画像を表示しているときにシャッタ２５０を閉じ」、切り替え「た後にシャッタ２５０を開くことで、それまで」「表示していた２次元画像が、シャッタ２５０が一旦閉じて再度開いたときには３次元画像に変化している演出を行うことが可能であ」るようにすることに何ら支障はなく、相違点２のＨに係る本願補正発明の構成に想到することは当業者が容易になし得たことである。
　そして、本願補正発明の奏する作用効果は、引用発明１及び引用発明２がそれぞれ奏する作用効果を単に寄せ集めた以上の作用効果を奏するものであるとは認められず、格別顕著なものということはできない。
　したがって、本願補正発明は、引用発明１及び引用発明２に基づいて、当業者が容易に発明をすることができたものであるから、特許法第２９条第２項の規定により、特許出願の際独立して特許を受けることができないものである。
（４）請求人の主張について
ア　なお、請求人は、本願の関連出願である特願２０１３−１５４０００号（審判２０１７−１６９９５号）の平成３０年２月６日付けの上申書において、前記関連出願に関する主張に合わせ、本願（特願２０１３−１５４００１号）に関しても、以下のように主張する。
（ア）引用文献１では、第１の位置の画像表示部６２４（演出表示手段）が２次元画像を表示しているときにシャッタ２５０（前方演出物）を閉じ、画像表示部６２４を第２位置に移動させた後にシャッタ２５０を開くと、遊技者は画像表示部６２４を通してではなくハーフミラー６２６ｂを通して後方に存在する立体人形６３４（後方演出物）が視認可能となる状態とするものであって、引用文献１は本願補正発明の「前記前方演出物の動作に応じて、前記前方切替手段及び前記後方切替手段を前記演出表示手段を通して後方の領域にある前記後方演出物が視認可能となる状態とする」なる構成を何ら開示するものではない。
（イ）引用文献１では、シャッタ２５０を閉じてから開くまでの間に、画像表示部６２４を第２の位置に移動させることで２次元画像から３次元画像に変化していることから、シャッタ２５０（前方演出物）を閉じシャッタ２５０が画像表示部６２４（演出表示手段）の前方に位置しているときには、遊技者は第２の位置に移動する画像表示部６２４を視認できないばかりか、後方に存在する立体人形６３４（後方演出物）をも視認できない状態とするものであるので、引用文献１は本願補正発明の「前記前方演出物が前記演出表示手段の前方で動作したときにも、前記演出表示手段の演出表示を視認可能に前記後方演出物と前記前方演出物と前記演出表示手段とによる特別演出を実行する」なる構成を何ら開示するものではない。
（ウ）引用文献１に記載された発明において、２次元画像と３次元画像とに切り替えて表示するための構成である画像表示部６２４とハーフミラー６２６ｂとを、引用文献２に開示される液晶表示装置に変えたとしても、本願補正発明の「前記前方切替手段及び前記後方切替手段を前記演出表示手段を通して後方の領域にある前記後方演出物が視認可能となる状態とする」なる構成が得られるにすぎず、本願補正発明の「前記前方演出物が前記演出表示手段の前方で動作したときにも、前記演出表示手段の演出表示を視認可能に前記後方演出物と前記前方演出物と前記演出表示手段とによる特別演出を実行する」なる構成には到達し得ない。
（エ）引用文献１では、画像表示部６２４による２次元画像からハーフミラー部６２６ｂによる３次元画像に変化しているときには、シャッタ２５０は閉じられていることから、引用文献１に記載された発明において、２次元画像と３次元画像とに切り替えて表示するための構成である画像表示部６２４とハーフミラー６２６ｂとを、引用文献２に開示される液晶表示装置に変えたとしても、引用文献２の構造物１００が視認不可能な状態（２次元画像）から視認可能な状態（３次元画像）に変化するときにもシャッタ２５０は閉じられていることとなり、シャッター２５０が引用文献２の液晶表示パネル１０の前方で動作したときにも、演出表示パネル１０の演出表示を視認可能となる状態にするものではない。
イ　請求人の主張に対する当審の見解
（ア）上記ア（ア）については、前記（３）ア（ｈ）で検討したように、引用発明１の「ｈ　第１の位置の画像表示部６２４が２次元画像を表示しているときにシャッタ２５０を閉じ、画像表示部６２４を第２位置に移動させた後にシャッタ２５０を開くことで、それまで画像表示部６２４が表示していた２次元画像が、シャッタ２５０が一旦閉じて再度開いたときには３次元画像に変化している演出を行うことが可能であ」ることは、シャッタ２５０の一旦閉じて再度開く動作に応じて、ｂの「ハーフミラー６２６ｂの背後の位置Ｂに浮かぶ」「虚像の後方に」「配置した」「立体人形６３４が重ねて存在するというような奥行き感のある３次元画像を遊技者に視認させ」る状態とすることであるから、本願補正発明の「Ｈ　前記前方演出物の動作に応じて、」「切替手段を前記演出表示手段を通して後方の領域にある前記後方演出物が視認可能となる状態とする」なる構成を開示するものといえる。
（イ）上記ア（イ）については、前記（３）ア（ｈ）で検討したように、引用発明１の「ｈ　第１の位置の画像表示部６２４が２次元画像を表示しているときにシャッタ２５０を閉じ、画像表示部６２４を第２位置に移動させた後にシャッタ２５０を開くことで、それまで画像表示部６２４が表示していた２次元画像が、シャッタ２５０が一旦閉じて再度開いたときには３次元画像に変化している演出を行うことが可能であ」ることは、シャッタ２５０が「ｅ　前記表示手段の前方」で再度開く動作をしたときにもその開く途中の段階で、ｂの「ハーフミラー６２６ｂの背後の位置Ｂに浮かぶ」「虚像の後方に」「配置した」「立体人形６３４が重ねて存在するというような奥行き感のある３次元画像」の一部「を遊技者に視認させ」る状態とするものといえ、また、３次元画像は２次元画像に比べて特別な演出といえるから、本願補正発明の「前記前方演出物が前記演出表示手段の前方で動作したときにも、前記演出表示手段の演出表示を視認可能に前記後方演出物と前記前方演出物と前記演出表示手段とによる特別演出を実行する」なる構成を開示するものといえる。
（ウ）上記ア（ウ）については、前記（３）イで検討したように、Ｈ’’の「切替手段」の構成に関して、引用発明１の画像表示部６２４とハーフミラー６２６ｂからなる表示手段を引用発明２の液晶表示パネル１０、第１導光体２６、第１ＰＮＬＣフィルム２４、第２導光体３２、および第２ＰＮＬＣフィルム３４からなる液晶表示装置に変更したときも、引用発明１のｈの「２次元画像を表示しているときにシャッタ２５０を閉じ」、切り替え「た後にシャッタ２５０を開くことで、それまで」「表示していた２次元画像が、シャッタ２５０が一旦閉じて再度開いたときには３次元画像に変化している演出を行うことが可能であ」るようにすることに何ら支障はなく、相違点２のＨに係る本願補正発明の構成に想到することは当業者が容易になし得たことである。
（エ）上記ア（エ）については、上記（イ）及び（ウ）で言及したとおりである。
　よって、請求人の主張は採用できない。
（５）本件補正についてのむすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。
　よって、上記補正の却下の決定の結論のとおり決定する。
第３　本願発明について
１　本願発明 
　本件補正は、上記のとおり却下されたので、本願の請求項１に係る発明は、平成２９年６月１４日にされた手続補正により補正された特許請求の範囲の請求項１に記載された事項により特定されるものであるところ、その請求項１に係る発明（以下「本願発明」という。）は、前記第２［理由］１の（本件補正前）に記載のとおりのものである。
２　原査定の拒絶理由
　原査定の拒絶の理由は、この出願の請求項１に係る発明は、その出願前に頒布された以下の引用例に記載された発明に基づいて、その出願前にその発明の属する技術の分野における通常の知識を有する者が容易に発明をすることができたものであるから，特許法第２９条第２項の規定により特許を受けることができない、というものである。
　引用例１：特開２０１０−２６２２３４号公報
　引用例２：特開２０１２−２１７６３０号公報（周知技術を示す文献）
　引用例３：特開２００８−２００３０５号公報（周知技術を示す文献）
　
３　引用例 
　原査定の拒絶の理由で引用された引用例１（引用文献２）の記載事項は、前記第２［理由］２（２）に記載したとおりである。
４　対比・判断 
ア　対比
　本願発明と引用発明２とを対比する。なお、見出し（ａ）〜（ｉ）は、本願発明のＡ〜Ｉに対応させている。
 
（ａ）引用発明２の「ａ　遊技機」は、遊技を行うことが可能であることは明らかであるから、本願発明の「Ａ　遊技を行うことが可能な遊技機」に相当する。
（ｂ）引用発明２の「ｂ　画像が表示される略矩形状の表示部１１を有し、第２光源装置３０の背面側に配置された構造物１００を、第１導光体２６、第１ＰＮＬＣフィルム２４、第２導光体３２、および第２ＰＮＬＣフィルム３４を介して、表示部１１の中央部分において視認可能とする液晶表示パネル１０」は、演出表示が可能であることは明らかであるから、本願発明の「Ｂ　演出表示が可能であるとともに、その後方の領域を前方から視認可能な透過性を有する演出表示手段」に相当する。
（ｃ）引用発明２の「ｃ　前記液晶表示パネル１０の背面側に配置され、２つの光源Ｌ１、Ｌ２から出射された光を前記液晶表示パネル１０側に導く第１導光体２６」は、本願発明の「Ｃ　前記演出表示手段の後方に設けられ、前記演出表示手段へ表示用の光を供給可能な発光手段」に相当する。
（ｄ、ｇ）引用発明２の「ｄ　前記液晶表示パネル１０の背面側で前記第１導光体２６の前方及び後方にそれぞれ配置される第１ＰＮＬＣフィルム２４と第２ＰＮＬＣフィルム３４であって、両方に駆動電圧を供給すると両方が透明状態となり、背面側に配置された構造物１００を前記液晶表示パネル１０側から視認可能とし、両方に駆動電圧を供給せずに白濁状態とすると前記液晶表示パネル１０側から構造物１００を視認不可能として表示部１１全体に画像が表示される第１ＰＮＬＣフィルムと第２ＰＮＬＣフィルム」は、本願発明の「Ｄ　前記発光手段の前方に設けられ、後方の領域が視認可能となる状態と後方の領域が視認不可能または視認困難となる状態とに切替可能な切替手段」と「Ｇ　前記発光手段と前記後方演出物との間に設けられ、後方の領域が視認可能となる状態と後方の領域が視認不可能または視認困難となる状態とに切替可能な後方切替手段」に相当する。
（ｆ）引用発明２のｂの「第１導光体２６」「を介して、視認可能」な「構造物１００」は、「第１導光体２６」の後方に設けられるといえ、また、遊技における演出物といえるから、本願発明の「Ｆ　前記発光手段の後方に設けられる後方演出物」に相当する。
（ｈ）引用発明２は「ｈ　前記第１ＰＮＬＣフィルム２４と第２ＰＮＬＣフィルム３４との両方に駆動電圧を供給して、両方を透明状態とし、構造物１００を液晶表示パネル１０の表示部１１の中央部分から視認可能とするとき、前記演出表示パネル１０の表示部１１の中央部分から視認可能な前記構造物１００とその周りの表示部１１に画像を表示する前記演出表示パネル１０とによる、表示部１１全体に画像を表示させるものとは異なる特別な演出を実行する」のであり、そのための実行手段を有することは明らかである。そして、引用発明２のこのような特別な演出を実行する実行手段と、本願発明の「Ｈ　前記前方切替手段及び前記後方切替手段を後方の領域が視認可能となる状態とするときに、前記後方演出物と前記前方演出物と前記演出表示手段とによる特別演出を実行する特別演出実行手段」とは、「Ｈ’前記前方切替手段及び前記後方切替手段を後方の領域が視認可能となる状態とするときに、前記後方演出物と前記演出表示手段とによる特別演出を実行する特別演出実行手段」の点で共通する。
（ｉ）引用発明２のｄの「第２ＰＮＬＣフィルム３４」が「駆動電圧を供給すると」「透明状態となり、背面側に配置された構造物１００を前記液晶表示パネル１０の表示部１１の中央部分から視認可能とし、」「駆動電圧を供給せずに白濁状態とすると前記液晶表示パネル１０側から構造物１００を視認不可能と」することは、本願発明の「Ｉ　前記後方切替手段は、電圧の印加により後方の領域が視認可能となる状態と後方の領域が視認不可能または視認困難となる状態とに切替可能である」ことに相当する。
　そうすると、両者は、
「Ａ　遊技を行うことが可能な遊技機であって、
Ｂ　演出表示が可能であるとともに、その後方の領域を前方から視認可能な透過性を有する演出表示手段と、
Ｃ　前記演出表示手段の後方に設けられ、前記演出表示手段へ表示用の光を供給可能な発光手段と、
Ｄ　前記発光手段の前方に設けられ、後方の領域が視認可能となる状態と後方の領域が視認不可能または視認困難となる状態とに切替可能な前方切替手段と、
Ｆ　前記発光手段の後方に設けられる後方演出物と、
Ｇ　前記発光手段と前記後方演出物との間に設けられ、後方の領域が視認可能となる状態と後方の領域が視認不可能または視認困難となる状態とに切替可能な後方切替手段と、
Ｈ’前記前方切替手段及び前記後方切替手段を後方の領域が視認可能となる状態とするときに、前記後方演出物と前記演出表示手段とによる特別演出を実行する特別演出実行手段と、
　を備え、
Ｉ　前記後方切替手段は、電圧の印加により後方の領域が視認可能となる状態となる状態と後方の領域が視認不可能または視認困難となる状態とに切替可能である
　ことを特徴とする遊技機。」
である点で一致し、以下の点で相違する。
（相違点１）
　本願発明は「Ｅ　前記演出表示手段の前方に設けられる前方演出物」を備えるのに対し、引用発明２はそのようなものでない点。
（相違点２）
　Ｈ’の「特別演出実行手段」が「前記前方切替手段及び前記後方切替手段を後方の領域が視認可能となる状態とするときに」「実行する」「特別演出」が「前記後方演出物と前記演出表示手段とによる」だけでなく、本願発明では「前記後方演出物と前記前方演出物と前記演出表示手段とによる」のに対し、引用発明２はそのようなものでない点。
イ　判断
　以下、上記相違点について検討するが、事案に鑑み、相違点１及び２をまとめて検討する。
（相違点１及び２について）
　遊技機において、演出表示手段の前方にシャッター等の前方演出物を設け、前方演出物と演出表示手段とによる特別な演出を実行することは、例えば、原査定の拒絶の理由で周知技術を示す文献として引用された引用例３（特開２０１２−２１７６３０号公報、可変表示装置９の上下において、通常は開いていて可変表示装置９の画像を遊技者に視認させるが、それぞれ上下から閉じられて可変表示装置９の前面全体に重畳され、可変表示装置９の画像を遊技者に視認させなくするシャッター役物を設け、スベリ演出の実行タイミングに併せて、シャッター役物で可変表示装置９の前面全体に重畳し、チャンス目が導出されるタイミングでシャッター役物を開いて可変表示装置９の画像を遊技者に視認させシャッター演出を実行できる、段落【０１９４】の記載を参照。）及び原査定の拒絶の理由で周知技術を示す文献として引用された引用例４（特開２００８-２００３０５号公報すなわち引用文献１、表示手段の前方に配設される立体的な可動物であるシャッタ２５０を備え、第１の位置の画像表示部６２４が２次元画像を表示しているときにシャッタ２５０を閉じ、画像表示部６２４を第２位置に移動させた後にシャッタ２５０を開くことで、それまで画像表示部６２４が表示していた２次元画像が、シャッタ２５０が一旦閉じて再度開いたときには３次元画像に変化している演出を行うことが可能である、段落【０２１０】の記載を参照。）に記載されているように周知技術である。
　そこで、引用発明２において、構造物１００を液晶表示パネル１０の表示部１１の中央部分から視認可能とするとき、遊技の興趣を向上させるために、上記周知技術を適用して、シャッター等の前方演出物による演出を付加して、構造物１００とシャッター等の前方演出物と液晶表示パネル１０とによる特別な演出を実行するものとして、相違点１及び２に係る本願発明の構成に想到することに当業者にとって格別の困難性はない。
　そして、本願発明の奏する作用効果は、引用発明２及び周知技術がそれぞれ奏する作用効果を単に寄せ集めた以上の作用効果を奏するものであるとは認められず、格別顕著なものということはできない。
　したがって、本願発明は、引用発明２及び周知技術に基づいて、当業者が容易に発明をすることができたものである。
第４　むすび
　以上のとおり、本願発明は、特許法第２９条第２項の規定により特許を受けることができないから、本願は拒絶されるべきものである。
　よって、結論のとおり審決する。